(57)【要約】      （修正有）【課題】無機質ボードのサイディング材などを建物躯体に張り付ける際に好適で、十分な抜止作用を得られ、また打ち込みによる相手側部材の割れや粉砕等を防止できる釘を提供する。【解決手段】胴部２、釘頭部３、釘先部４とを一体に有し、胴部２の外周面には中途張出部１０が非張出部１１を介しつつ軸方向に複数並んで設けられ、釘先部４にはその先端を頂点としつつ鈍角のテーパ角θで胴部２の外周全周へ向けて同心円で且つ釘先部４の先端から均等長さとなるように張り出すカエリ部５が設けられる。カエリ部５の外周面は周方向に一定カーブを連続させるテーパ面に形成されていると共に、傘外周縁が胴部２の中途張出部１０を超えて径方向外方へ張り出すように形成され、カエリ部５によって囲まれる胴部２の外周面間には円環状の凹部が形成されている。【選択図】図１
0003179713.tif 000002
【実用新案登録請求の範囲】
【請求項１】
棒状の胴部と、この胴部の一端部に一体に設けられた釘頭部と、胴部の他端部に一体に設けられた釘先部とを有し、
前記胴部には、その外周面よりも径方向外方へ張り出す中途張出部が非張出部を介しつつ軸方向に複数並んで設けられており、
前記釘先部には、当該釘先部の先端を頂点としつつ鈍角のテーパ角で前記胴部の外周全周へ向けて同心円で且つ釘先部の先端から均等長さとなるように傘状に張り出すカエリ部が設けられており、
前記カエリ部は、その外周面が周方向に一定カーブを連続させるテーパ面に形成されていると共に、傘外周縁が前記胴部の中途張出部による最大外径を超えて更に径方向外方へ張り出すように形成されており、
更に前記カエリ部は、周方向で均等厚を保持しつつ張り出すことにより当該カエリ部によって囲まれる胴部の外周面とカエリ部の内周面との間に円環状の凹部が形成されていることを特徴とする釘。
【考案の詳細な説明】
【技術分野】
【０００１】
本考案は、抜止作用に優れた釘に関するものである。
【背景技術】
【０００２】
釘は、棒状の胴部と、この胴部の一端部に設けられた釘頭部と、胴部の他端部に設けられた釘先部とを有した構成となっている。従来、釘の種類として、無機質ボードのサイディング材（外壁材）などを建物躯体に張り付ける際に、振動や風圧等による緩み又は抜けを防止するために、釘先部に対して径方向外方へヤジリ状に突出する突起を設けたものが知られている（特許文献１等参照）。ヤジリ状突起は、釘先部の軸心から径方向へ突出する断面形状が板状又は三角形状に形成されており、突出縁となる部分に鋭く尖った稜部を有したものとなっている。
【先行技術文献】
【特許文献】
【０００３】
【特許文献１】実用新案登録第３１３３１９６号公報
【考案の概要】
【考案が解決しようとする課題】
【０００４】
従来のヤジリ状突起を有した釘では、前記したようにヤジリ状突起の突出縁に鋭く尖った稜部を有していた。そのため、この釘を相手側部材（サイディング材やその下地となる木材など）に打ち込むときには、ヤジリ状突起で相手側部材を切り裂きながら侵入することになる。
このような侵入メカニズムを漫然と看過すれば、釘の打ち込みが容易となって恰も好都合のように錯覚するが、実際には、相手側部材が木材である場合ではヤジリ状突起の稜部が木材の繊維を切断し、裂いてしまうことになる。そのため、釘先部（ヤジリ状突起）の通過した部位で木材が締まり作用（胴部まわりに木材が食いついて釘先部の引き抜きを邪魔する作用）を生じにくくなる。加えて、木材にはヤジリ状突起によって切り裂かれた直線状の侵入筋が残ることになり、木材自体の弱体化と共に打ち込み後の釘に対する抜止作用も一層弱くなるという問題を有していた。
【０００５】
むしろ、釘の打ち込みが容易である点は、打ち込み速度の高速化を意味することになり、相手側部材が無機質ボードのサイディング材であるときには表面の割れや粉砕等を起こし、相手側部材が木材であるときには繊維切断がより一層、顕著になるという重大な問題を招来するものであった。
なお、そもそも従来のヤジリ状突起を有した釘において、ヤジリ状突起は釘先部の外周部に対して、十文字状配置で計４つ（又は一文字配置で２つ）しか設けられておらず、胴部側から軸方向に沿って見たときの突出面積は微少なものである。そのため、この程度の小さなヤジリ状突起では十分な引抜抵抗を得ることができず、抜止効果としては実用性に乏しいと言わざるを得なかった。
【０００６】
本考案は、上記事情に鑑みてなされたものであって、十分に満足できる抜止作用を得られるようにし、また打ち込みによる相手側部材の割れや粉砕等を防止できるようにした釘を提供することを目的とする。
【課題を解決するための手段】
【０００７】
前記目的を達成するために、本考案は次の手段を講じた。
即ち、本考案に係る釘は、棒状の胴部と、この胴部の一端部に一体に設けられた釘頭部と、胴部の他端部に一体に設けられた釘先部とを有し、前記胴部には、その外周面よりも径方向外方へ張り出す中途張出部が非張出部を介しつつ軸方向に複数並んで設けられており、前記釘先部には、当該釘先部の先端を頂点としつつ鈍角のテーパ角で前記胴部の外周全周へ向けて同心円で且つ釘先部の先端から均等長さとなるように傘状に張り出すカエリ部が設けられており、前記カエリ部は、その外周面が周方向に一定カーブを連続させるテーパ面に形成されていると共に、傘外周縁が前記胴部の中途張出部による最大外径を超えて更に径方向外方へ張り出すように形成されており、更に前記カエリ部は、周方向で均等
厚を保持しつつ張り出すことにより当該カエリ部によって囲まれる胴部の外周面とカエリ部の内周面との間に円環状の凹部が形成されていることを特徴とする。
【考案の効果】
【０００８】
本考案に係る釘では、十分に満足できる抜止作用を得られるものであり、また打ち込みによる相手側部材の割れや粉砕等を防止できるようになっている。
【図面の簡単な説明】
【０００９】
【図１】本考案に係る釘を示した側面図であって（ａ）はスクリューポイントと呼ばれる胴部を備えたものであり（ｂ）はツーポイントと呼ばれる胴部を備えたものであり（ｃ）はスクリュータイプの胴部を備えたものであり（ｄ）はリングタイプの胴部を備えたものである。
【図２】本考案に係る釘の釘先部を拡大して示した側面図である。
【図３】本考案に係る釘の釘先部を胴部側から見た状態で示した斜視図である。
【図４】（ａ）はカエリ部におけるテーパ面のテーパ角が鈍角である場合に相手側部材に及ぼす影響を説明した側断面図であり（ｂ）は鋭角である場合に相手側部材に及ぼす影響を説明した側断面図である。
【図５】本考案に係る釘の打ち込み状態を示した側断面図である。
【図６】本考案に係る釘の別実施形態における釘先部を示した側面図である。
【考案を実施するための形態】
【００１０】
以下、本考案の実施の形態を、図面に基づき説明する。
図１乃至図５は本考案に係る釘１を示している。図１（ａ）〜（ｄ）にそれぞれ示すように、釘１は棒状の胴部２と、この胴部２の一端部に一体に設けられた釘頭部３と、胴部２の他端部に一体に設けられた釘先部４とを有している。
胴部２には、その外周面よりも径方向外方へ張り出す中途張出部１０が非張出部１１を介しつつ軸方向に複数並んで設けられている。
【００１１】
中途張出部１０にはリングタイプやスクリュウタイプがある。図１（ａ）に示す胴部２は、リングタイプの中途張出部１０Ａとスクリュウタイプの中途張出部１０Ｂとを交互に組み合わせた「スクリューポイント」と呼ばれるものである。
リングタイプの中途張出部１０Ａは、釘先部４側から釘頭部３側へ近づくほど徐々に径大となる円錐台形に形成されており、円錐台形における最も径大側と、円錐台形における最も径小側とが直接に隣り合う箇所に、それらの直径差として生じる凹んだ部分で、非張出部１１が形成される構成である。非張出部１１は、胴部２の外径と同じか、又は径小に形成されたものとなっている。非張出部１１が胴部２の外径より径小になる理由は、中途張出部１０Ａを転造により形成させる（盛り上げるようにする）のに伴って、直近の肉がこの中途張出部１０Ａ側へ移動して（形成材料に費やされて）括れが生じることによる。
【００１２】
これに対し、スクリュウタイプの中途張出部１０Ｂは、胴部２を軸心まわりにねじった際に生じる螺旋状のリード部（最も張り出した線状部分）で形成されており、リード部に寄り添って生じる螺旋状の溝により、非張出部１１が形成される構成である。
なお、リングタイプの中途張出部１０Ａは、張出外径を大きくしたり反対に小さくしたりすることができる。図１（ｂ）に示す胴部２は、張出外径の大きなものと小さなものとを混在させた「ツーポイント」と呼ばれるものである。張出外径の大きな中途張出部１０Ａを連続させて複数並べる場合には、途中に、胴部２の外径を保持したストレート部１４を設けておくとよい。また、張出外径の小さな中途張出部１０Ａを連続させて複数並べる場合も、それらの途中にストレート部１５を設けることができる。更に、針先部４と中途張出部１０Ａとの間にも、針先部４（後述するカエリ部５）による径方向外方への張出を強調させる（メリハリを持たせる）理由で、ストレート首部１６を設けることができる。
【００１３】
図１（ｃ）に示す胴部２は、その全長にスクリュウタイプの中途張出部１０Ｂを設けたものであり、図１（ｄ）に示す胴部２は、その全長にリングタイプの中途張出部１０Ａを設けたものである。
釘頭部３は、平頭タイプをはじめ、丸頭タイプ、傘頭タイプ、カップ（又は中実の逆円錐台形）タイプ、Ｌ字（又はＴ字）タイプなど、如何様な構造を備えたものでも採用可能
である。
【００１４】
本考案に係る釘１において、釘先部４には、この釘先部４の先端を頂点としつつ、釘先部４の頂点から釘頭部３へ近づくほど（釘先部４の頂点から遠ざかるほど）外径を拡大させるように、傘状に張り出すカエリ部５が設けられている。図２及び図３に示すように、このカエリ部５は、胴部２の外周全周へ向けて張り出したもので、胴部２と同心円であり、しかも釘先部４の先端から均等長さとなるように形成されている。カエリ部５は、釘先部４の先端からの長さが周方向で均等であるから、最も径大位置となる外周縁と胴部２の外周面とは垂直に交差する位置関係となっている。
【００１５】
胴部２には、前記したようにリングタイプの中途張出部１０Ａやスクリュウタイプの中途張出部１０Ｂなどの中途張出部１０が設けられているが、カエリ部５は、傘状の外周縁となる部分が、これら胴部２の中途張出部１０を超えて最も径方向外方へ張り出すように形成されている(図１中に示す二点鎖線はカエリ部５の外径位置を表している)。
また、カエリ部５は、その外周面が周方向に一定カーブを連続させる（曲率半径が変化することなく、そのために周方向で凹凸や波打ち等が一切生じていない連続面となる）テーパ面に形成されている。すなわち、このカエリ部５は、前記したように胴部２の外周全周にわたって張り出しているため、傘状テーパ面の外周面は周方向において円滑面であり、ヤジリ状突起等とは異なって鋭く尖って突出するような稜部は皆無である。
【００１６】
カエリ部５におけるテーパ面のテーパ角θは鈍角（９０°を超える角度）で形成されている。本実施形態では１００°〜１２０°とした。このように、カエリ部５におけるテーパ面のテーパ角θを鈍角とすることで、釘１を相手側部材１５へ打ち込む際の打ち込み速度は抑制され、遅速化される。
しかも、釘１を相手側部材１５へ打ち込む際の打ち込み圧（面圧）が、カエリ部５の外周面（テーパ面）に対して周方向全周に均等に分散されるようになる。これらのことから、相手側部材１５を保護する作用が相乗的に得られ、相手側部材１５が無機質ボードのサイディング材であるときも、表面の割れや粉砕等は防止されるという利点が得られる。
【００１７】
加えて、図４（ａ）に示すように、釘先部４が一旦、相手側部材１５中へ打ち込まれると、カエリ部５の外周面が相手側部材１５を押圧して圧縮させた反力（相手側部材１５に生じた応力）が、カエリ部５の裏側（カエリ部５が通過することによって生じた釘孔であって胴部２より径大となる隙間）へ回り込んで、相手側部材１５を即座に膨らませるように作用する。そのため、釘先部４（カエリ部５）は、相手側部材１５への打ち込みが進行するにつれ、その後の引き抜きを阻害する（逆戻りしない）ような抵抗を発生させることになる。
【００１８】
なお、仮に、カエリ部５におけるテーパ面のテーパ角θを鋭角にしたと過程する。この場合、図４（ｂ）に示すように、釘先部４が相手側部材１５中へ打ち込まれたときに、カエリ部５の外周面のうち、傘状の外周縁付近（外径が大きい部分）で相手側部材１５を径方向外方へ押し退けるように作用することが理解される。このことが引き金となり、相手側部材１５には、裂傷を生じさせるような作用が発生し、この裂傷を生じさせる作用は、相手側部材１５に対して釘先部４の先端が未到達である深層へも、先へ先へと派生してしまうことになる。これにより、相手側部材１５を必要以上に傷つけてしまうことになって、抜止作用を得ようとするうえで寧ろ、悪因になってしまうおそれがある。
【００１９】
カエリ部５におけるテーパ面のテーパ角θを鈍角にすることは、これらの理由から、重要である。
一方、カエリ部５は、周方向で均等厚を保持しつつ張り出すようになっている。そのため、カエリ部５によって囲まれる胴部２の外周面とカエリ部５の内周面との間には、円環状の凹部６が形成されるようになっている。
【００２０】
このような円環状の凹部６が形成されているため、図５に示すように、釘１を相手側部材１５（例えば木材）へ打ち込んだときには、釘先部４の通過した部位で相手側部材１５が凹部６内へも入り込むようにして締まり作用Ｆ（胴部２まわりに相手側部材１５が食いついて釘先部４の引き抜きを邪魔する作用）を生じるようになる。従って、強力な引抜抵抗が得られることになる。カエリ部５におけるテーパ面のテーパ角θを鈍角にしているこ
とが、前記引抜抵抗を一層強く、効果的に作用することは言うまでもない。
【００２１】
以上、詳説したところから明らかなように、本考案に係る釘１では、釘先部４に対して、胴部２の外周全周で径方向外方へ張り出すカエリ部５を有しているので、十分に満足できる抜止作用を得られるものとなる。加えて、カエリ部５におけるテーパ面のテーパ角θが鈍角であるから、相手側部材１５の圧縮反力がカエリ部５の裏側へ膨らむ作用を増強させる。更には、カエリ部５の内周面側に設けた凹部６内で相手側部材１５を食いつかせるように作用するので、一層高い抜止作用を得ることができる。
【００２２】
しかも、このカエリ部５は、傘状のテーパ面を有してその外周面が周方向において円滑面であり、鋭く尖って突出するような稜部は皆無である。そのため、打ち込み時において相手側部材１５（木材であるときの繊維等）を切り裂くようなことがなく、抜止作用を低下させる原因を生じさせない。カエリ部５におけるテーパ面のテーパ角θが鈍角であり、鋭角ではないことが、切り裂き防止効果を一層高めている。当然に、相手側部材１５を切り裂き傷によって弱体化させることもない。
【００２３】
ところで、胴部２には中途張出部１０を設けているため、相手側部材１５に対して打ち込んだ釘１を意図的且つ無理矢理に引き抜くようにすると、中途張出部１０が相手側部材１５の釘孔内面を擦過して細かな削り滓を発生させることが確かめられた。この場合、削り滓が相手側部材１５の釘孔内を詰まらせ、中途張出部１０の相互間（非張出部１１）やカエリ部５の内周面側に設けた凹部６内を充満させることになるので、引抜抵抗を益々、強くすることが判っている。
【００２４】
更に、カエリ部５における傘状テーパ面のテーパ角θを鈍角にしているので、打ち込み速度の遅速化が可能であると共に、打ち込み圧が周方向全周に均等に分散されるようになる。そのため、相手側部材１５を保護する作用が相乗的に得られ、相手側部材１５が無機質ボードのサイディング材であるときも、表面の割れや粉砕等は防止されるという利点が得られる。
【００２５】
ただ、カエリ部５におけるテーパ面のテーパ角θを鈍角にすることが原因で、打ち込み圧が過大となるおそれがある場合には、カエリ部５の肉厚を薄くするという対策を施せばよい。この場合、カエリ部５において外径の小さい部分（釘先部４の先端に近い部分）では肉厚を相対的に分厚くし、カエリ部５において外径が大きくなるにしたがって（傘状の外周縁に近づくにつれて）徐々に肉厚を薄くさせるようにすることも有効である。
【００２６】
このような対策を施した場合、相手側部材１５への打ち込み時にはカエリ部５がその外径を小さくさせる（萎む）ように変形し、打ち込み圧を軽減させる（打ち込みが容易になる）という効果を得ることができる。
なお、カエリ部５の先端部は尖端形となっている（テーパ面が一点に集中して尖っている）。そのため、この釘１を打ち込む際に、胴部２の軸心を相手側部材１５に対して斜めに傾けるようにして打ち込むことができる。すなわち、この打ち込みに際して、釘先部４が相手側部材１５の表面を滑って打ち込みに失敗するようなことがないので、相手側部材１５を傷つけたり汚したりしない、という利点がある。
【００２７】
とは言え、図６に示すように、カエリ部５の先端部には非尖端形の突き部１６を形成することも可能である。この突き部１６は、胴部２の軸心に対して垂直となる平坦面により形成したり、半球状の膨出面により形成したり、その他の形状（要は尖端が生じない形状）にしたりすることができる。
このような突き部１６を設けておくことで、打ち込み速度を一層、遅速化させることが可能となる。そのため、相手側部材１５が無機質ボードのサイディング材などである場合でも、相手側部材１５に対して表面の割れや粉砕等を防止できる効果が一層高まる。また、突き部１６を設けることによって釘先部４の中心部に尖端が生じないので、釘１の取り扱い中にうっかりと釘先部４（突き部１６）に触れて痛感を覚えたり怪我したりすることを防止できる利点もある。
【００２８】
ところで、本考案は、前記実施形態に限定されるものではなく、実施の形態に応じて適宜変更可能である。
例えば、釘１の素材はステンレスなどとすることが可能であるが、鉄やアルミ、真鍮な
ど、特に限定されるものではない。
【符号の説明】
【００２９】
１    釘
２    胴部
３    釘頭部
４    釘先部
５    カエリ部
６    凹部
１０  中途張出部
１０Ａ  リングタイプの中途張出部
１０Ｂ  スクリュウタイプの中途張出部
１１  非張出部
１５    相手側部材
１６    突き部
【図１】
0003179713.tif 000003
【図２】
0003179713.tif 000004
【図３】
0003179713.tif 000005
【図４】
0003179713.tif 000006
【図５】
0003179713.tif 000007
【図６】
0003179713.tif 000008